(57)【要約】【課題】  ファスナーを閉じる際の雌爪と雄爪の位置合わせが容易で、指先を安定的に摺動させることができ、ファスナーを容易に閉じることができ、さらには製造コストや製造性に難のないファスナー付き袋体を提供する。【解決手段】  本発明のファスナー付き袋体１は、一端に開口部１１を有する袋体１０が、その内面に設けられ、互いに嵌合し合う雌爪２１と雄爪２２とを有する雌雄爪型ファスナー２０にて開閉自在とされたファスナー付き袋体であり、雌爪２１と雄爪２２に沿って、ファスナー２０を閉じる際に指先のガイドとなる一対の指先ガイド用リブ３１、３２が、袋体１０の外面のファスナー２０の底部１５側に、ファスナー２０との離間距離Ｄが２〜１７ｍｍとなる位置に設けられており、かつ袋体１０の指先ガイド用リブ形成部分１６、１７の内面は平坦面とされていることを特徴とする。【選択図】  図２
2005178866.tif 000002
【特許請求の範囲】
【請求項１】
一端に開口部を有する袋体が、その内面に設けられ、互いに嵌合し合う雌爪と雄爪とを有する雌雄爪型ファスナーにて開閉自在とされたファスナー付き袋体において、
前記雌爪と前記雄爪に沿って、前記ファスナーを閉じる際に指先のガイドとなる一対の指先ガイド用リブが、袋体の外面の前記ファスナーの底部側に、前記ファスナーとの離間距離が２〜１７ｍｍとなる位置に設けられており、かつ袋体の前記指先ガイド用リブ形成部分の内面は平坦面とされていることを特徴とするファスナー付き袋体。
【請求項２】
袋体の前記ファスナー／前記指先ガイド用リブ間部分が他部分より肉厚とされていることを特徴とする請求項１に記載のファスナー付き袋体。
【請求項３】
前記一対の指先ガイド用リブの総厚みが、前記ファスナーを閉じた際の前記ファスナーの総厚みの１／３〜２倍とされていることを特徴とする請求項１又は２に記載のファスナー付き袋体。
【発明の詳細な説明】
【技術分野】
【０００１】
本発明は、一端に開口部を有する袋体が雌雄爪型ファスナーにて開閉自在とされたファスナー付き袋体に関する。
【背景技術】
【０００２】
食品保存袋等として、一端に開口部を有する袋体が、その内面に設けられた雌雄爪型ファスナーにて開閉自在とされたファスナー付き袋体が広く利用されている。かかるファスナー付き袋体では、ファスナーが設けられた部分に沿って、袋体の外面側から指先を摺動させることで、ファスナーを構成する一対の雌爪と雄爪とを嵌合させ、袋体を閉じることができる。
【０００３】
かかる分野においては、従来、例えば、
（１）ファスナーの雌爪と雄爪を容易に嵌合させるべく、袋体の内面に、雄爪に近接させて、雌爪の先端部を囲むような壁部を有する一対のリブを設けたファスナー付き袋体（特許文献１）、
（２）ファスナーを容易に開けるべく、ファスナーを開ける際の指すべりを抑制するリブを、袋体の外面に、ファスナーを挟んで上下両側に複数列設けたファスナー付き袋体（特許文献２）、
（３）ファスナーを容易に開けるべく、袋体の密着を防止するリブを、袋体の内面に、ファスナーを挟んで上下両側に複数列設けたファスナー付き袋体（特許文献３）や、袋体を部分的に複層構造とし、層間に複数のリブを配することで、袋体の内面に凹凸を付したファスナー付き袋体（特許文献４）等が開示されている。
【特許文献１】特開昭５９−１３４１６０号公報
【特許文献２】実開平３−３２０４９号公報
【特許文献３】実開平３−４３４４７号公報
【特許文献４】実開平３−６０２４３号公報
【発明の開示】
【発明が解決しようとする課題】
【０００４】
ファスナー付き袋体においては、雌爪と雄爪とが袋体の内面側に突出して、しかも細長く線状に形成されているため、ファスナーを閉じる際には、これらの先端部同士の位置合わせが難しく、また指先を摺動させる操作が不安定な傾向にある。そして、上記先行技術はいずれもかかる問題を充分に解決するものではない。
【０００５】
上記先行技術（１）は、雄爪に近接させて特定形状のリブを設けることで、雌爪と雄爪の位置ずれ防止を図ったものであり、これらの位置合わせには有効であるが、ファスナーの盛り上がりに起因する指先の摺動不安定性を解決するものではない。また、ファスナーの上下両側に複数列の特殊形状のリブを設ける必要があり、原料コストや製造性の面で難がある。
先行技術（２）は、ファスナーを開ける際の指すべりを防止するために、袋体の外面にリブを設けたもので、ファスナーを閉じやすくすることについては言及されていない。加えて、同技術では、ファスナーの上下両側に複数列のリブを設ける必要があり、原料コストの面で難がある。
先行技術（３）は、袋体の密着を防止し、ファスナーを開けやすくするために、袋体の内面にリブを設けたもので、ファスナーを閉じやすくすることについては言及されていない。加えて、同技術では、ファスナーの上下両側に複数列のリブを設ける必要があり、原料コストの面で難がある。また、特許文献４に記載の技術では、袋体を部分的に複層構造とし、中にリブを埋め込む必要があるため、製造性の面でも難がある。
【０００６】
本発明は上記事情に鑑みてなされたものであり、ファスナーを閉じる際の雌爪と雄爪の位置合わせが容易で、指先を安定的に摺動させることができ、ファスナーを容易に閉じることができ、さらには製造コストや製造性に難のないファスナー付き袋体を提供することを目的とする。
【課題を解決するための手段】
【０００７】
本発明者は上記課題を解決するべく鋭意検討し、以下のファスナー付き袋体を発明した。
本発明のファスナー付き袋体は、一端に開口部を有する袋体が、その内面に設けられ、互いに嵌合し合う雌爪と雄爪とを有する雌雄爪型ファスナーにて開閉自在とされたファスナー付き袋体において、前記雌爪と前記雄爪に沿って、前記ファスナーを閉じる際に指先のガイドとなる一対の指先ガイド用リブが、袋体の外面の前記ファスナーの底部側に、前記ファスナーとの離間距離が２〜１７ｍｍとなる位置に設けられており、かつ袋体の前記指先ガイド用リブ形成部分の内面は平坦面とされていることを特徴とする。
本発明のファスナー付き袋体においては、袋体の前記ファスナー／前記指先ガイド用リブ間部分が他部分より肉厚とされていることが好ましい。また、前記一対の指先ガイド用リブの総厚みが、前記ファスナーを閉じた際の前記ファスナーの総厚みの１／３〜２倍とされていることが好ましい。
【発明の効果】
【０００８】
本発明によれば、ファスナーを閉じる際の雌爪と雄爪の位置合わせが容易で、指先を安定的に摺動させることができ、ファスナーを容易に閉じることができ、さらには製造コストや製造性に難のないファスナー付き袋体を提供することができる。
【発明を実施するための最良の形態】
【０００９】
図面に基づいて、本発明に係る一実施形態のファスナー付き袋体の構造について説明する。図１は平面図、図２は図１のＡ−Ａ’線断面図である。図２（ａ）はファスナーが開いた状態を示す図、同図（ｂ）はファスナーが閉じた状態を示す図である。なお、いずれの図も、本実施形態を模式的に示すもので、縮尺等については実際のものと異ならせてある。
【００１０】
図示するように、本実施形態のファスナー付き袋体１は、一端に開口部１１を有する袋体１０に、開閉自在な雌雄爪型ファスナー２０（以下、単に「ファスナー」と言う。）と特定のリブ３１、３２が設けられたものである。
【００１１】
袋体１０は、例えばポリエチレン、ポリプロピレン、ナイロン等の樹脂や紙等が袋状に加工されたもので、互いに対向する一面状体１２及び他面状体１３が側部１４及び底部１５にて繋がり、一体化されたものである。一面状体１２及び他面状体１３は筒状に一体成形されたあったものでも良いし、別成形されたものであっても良い。また、これらを袋状に加工するために側部１４や底部１５は必要に応じて適宜溶着されている。
本実施形態では、一面状体１２、他面状体１３の開口部側端部１２Ａ、１３Ａが数ｍｍ程度ずれて位置し、さらに、各面状体１２、１３の開口部１１近傍（ファスナー２０の開口部１１側）の内面には、袋体１０を開口する際の指すべりを防止する指すべり防止用リブ４１、４２（図１、図２（ｂ）では省略）が、開口部１１に平行して平面視直線状に設けられている。かかる構成によって、袋体１０を開口する際には、これら端部同士を容易に剥がせるようになっている。
【００１２】
ファスナー２０は、一面状体１２及び他面状体１３の内面に各々設けられ、互いに嵌合し合う雌爪２１と雄爪２２とからなり、袋体１０の開口部１１の近傍に、開口部１１に平行して平面視直線状に設けられている。雌爪２１と雄爪２２とは、互いに嵌合し合う柔軟な先端部２１Ａ、２２Ａを有する突条体により構成されている。詳細には、雄爪２２の先端部２２Ａは断面視楔状に形成され、雌爪２１の先端部２１Ａはこれを把持するように構成されており、これによって、互いに嵌合し合う構成となっている。
ファスナー２０の材質としては、例えばポリエチレン、ポリプロピレン等の樹脂等が挙げられ、袋体１０と同一であっても良いし、非同一であっても良い。
【００１３】
本実施形態では、ファスナー２０の雌爪２１と雄爪２２に沿って平面視直線状に、ファスナー２０を閉じる際に指先のガイドとなる一対の指先ガイド用リブ３１、３２が設けられている。指先ガイド用リブ３１、３２は各々、一面状体１２、他面状体１３の外面のファスナー２０の底部１５側に、ファスナー２０との離間距離Ｄが２〜１７ｍｍとなる位置に設けられている。かつ、袋体１０の指先ガイド用リブ形成部分１６、１７の内面は平坦面とされている。
指先ガイド用リブ３１、３２の断面形状としては、図示する半楕円状の他、半円状、三角形状、台形状、三角形状の頂点が弧状とされたもの、三角形状の頂点が２重頂点を有するよう切欠されたもの等、いかなる形状を呈するものであっても良い。
指先ガイド用リブ３１、３２の材質としては、例えばポリエチレン、ポリプロピレン等の樹脂等が挙げられ、袋体１０と同一であっても良いし、非同一であっても良い。
【００１４】
上記指先ガイド用リブ３１、３２を設けることで、ファスナー２０（袋体１０）を閉じる操作が容易になる。すなわち、指先ガイド用リブ３１、３２に触れるように指先を配し、袋体１０の一面状体１２と他面状体１３とを合わせ、指先を指先ガイド用リブ３１、３２に沿って摺動させることで、指先が自然にファスナー２０の雌爪２１と雄爪２２を押圧し、これらを簡易に嵌合させ、閉じることができる。このように、本実施形態では、指先ガイド用リブ３１、３２の存在によって、自然に雌爪２１と雄爪２２の位置合わせができる。また、本実施形態では、袋体１０のリブ形成部分１６、１７の内面は平坦面としたので、ファスナー２０を閉じる際には、袋体１０のリブ形成部分１６、１７の内面同士が密接し、指先の摺動操作が安定する。
【００１５】
なお、離間距離Ｄは、本発明者が、指先ガイド用リブ３１、３２に指先を当接し、袋体１０の一面状体１２と他面状体１３とを合わせた時に、指先の腹が袋体１０のファスナー形成部分にも及び、かつ袋体１０の少なくともリブ形成部分１６、１７が密接するように検討して特定したものである。
【００１６】
本発明者は、離間距離Ｄが２ｍｍ未満では、ファスナー２０と指先ガイド用リブ３１、３２が近接しすぎ、袋体１０の内面側に突出するファスナー２０の存在によって、袋体１０の少なくともリブ形成部分１６、１７を充分に密接させることが難しくなり、指先の摺動操作が安定しなくなることを見出している。
また、離間距離Ｄの上限は、「日本人の人体計測データ」（（社）人間生活工学研究センター発行、1997年、ｐ.433）記載の平均的な日本人女性の第２指遠位関節幅に基づき、平均的な日本人女性が、指先ガイド用リブ３１、３２に指先を当接し、袋体１０の一面状体１２と他面状体１３とを合わせた時に、指先の腹が袋体１０のファスナー形成部分にも及ぶように設定した。人によって、第２指遠位関節幅はそれ程大きくは変動しないから、離間距離Ｄが１７ｍｍ以内であれば、乳幼児等を除く通常の使用者であれば、充分に袋体１０のファスナー形成部分を押圧することができる。
特に、離間距離Ｄを３〜８ｍｍとすることが好ましく、これによって、より指先摺動性を安定化させ、簡易にファスナー２０を閉じることができる。
【００１７】
本実施形態においては、袋体１０のファスナー／指先ガイド用リブ間部分１８、１９が、他部分より肉厚とされていることが好ましい。この肉厚部分と他部分との厚みの差は特に限定されず、指先で触れて認識できる範囲内であれば良いが、例えば、１０〜３００μｍが好ましく、４０〜３００μｍがより好ましく、特に５０〜２００μｍが好ましい。かかる範囲とすることで、ファスナー２０を閉じる際には、肉厚部分に沿って指先を摺動させれば良いので、指先摺動性がより安定化し、ファスナー２０をより簡便に閉じることができる。なお、肉厚部分と他部分との厚みの差が１０μｍ未満では、厚みの差が小さすぎるため、指先摺動性の安定化向上効果が顕著に発現せず、３００μｍ超であれば、袋体１０の柔軟性が低下するためファスナー２０を閉じにくくなり、さらには使用する樹脂量も多くなるためコスト面でも好ましくない。
また、肉厚部分を設けることで、袋体１０の剛性が増す効果も合わせて得られる。すなわち、袋体１０において、指先の摺動操作を繰り返し受ける部分を肉厚とすることで、この部分を補強し、袋体１０の耐久性を向上させることができる。
【００１８】
また、一対の指先ガイド用リブ３１、３２の総厚みＴ１が、ファスナー２０を閉じた際のファスナー２０の総厚みＴ２の１／３〜２倍であることが好ましく、特に１／１．５〜１．５／１倍であることが望ましい。Ｔ１／Ｔ２をかかる範囲とすることで、ファスナー２０と指先ガイド用リブ３１、３２との間に指先が入り、上下の指の動きが抑制されるので、指先摺動性がより安定化し、ファスナー２０をより簡易に閉じることができる。Ｔ１／Ｔ２が１／３倍未満、あるいは２倍超では、ファスナー／指先ガイド用リブの高さがアンバランスとなり、指先をファスナー２０と指先ガイド用リブ３１、３２との間に接触させた際に、指先の力が均等にかからず、指先摺動性の安定化が難しくなる。
【００１９】
さらに、指先ガイド用リブ３１、３２及び／又はファスナー２０は、袋体１０と異なる色で着色されていることが好ましい。これによって、ファスナー２０の開閉時にこれらを視認しやすくなり、操作がより簡便になる。
また、指先ガイド用リブ３１、３２の先端部には、その延在方向に沿って波状等の凹凸を付し、ファスナー２０を閉じる際の指先摺動性をより安定化させることも好適である。
本実施形態においては、袋体１０を必要に応じてエンボス加工することで、模様等を付すこともできる。
【００２０】
本実施形態によれば、指先ガイド用リブ３１、３２を、袋体１０の外面のファスナー２０の底部１５側に、ファスナー２０との離間距離Ｄが２〜１７ｍｍとなる位置に設け、かつ袋体１０の指先ガイド用リブ形成部分１６、１７の内面は平坦面としたので、上記した如く、ファスナー２０を閉じる際の雌爪２１と雄爪２２の位置合わせが容易となり、指先を安定的に摺動させることができ、ファスナー２０を容易に閉じることができる。
また、本実施形態では、指先ガイド用リブを一対（一列）設けるだけで上記効果が得られるので、これを複数対設ける必要がなく、原料コストの大きな増加を招くこともない。また、指先ガイド用リブ３１、３２の断面形状によらず上記効果が得られ、しかも、指先ガイド用リブ３１、３２は袋体１０の外面に取り付ければ良いので、袋体１０を加工した後でも指先ガイド用リブ３１、３２を簡易に取り付けることができ、製造性の面でも難がない。
なお、ファスナー付き袋体１は一実施形態にすぎず、ファスナーの形状等については適宜変更することができる。
【実施例】
【００２１】
（実施例１〜６、比較例１〜３）
各例においては、離間距離Ｄを表１に示すものとした以外は同様として、ファスナー付き袋体を作製した。なお、指先ガイド用リブの総厚みＴ１とファスナーを閉じた際のファスナーの総厚みＴ２の比（Ｔ１／Ｔ２）は１／１とした。
（実施例７〜１０）
実施例７〜１０では、Ｔ１／Ｔ２を表２に示すものとした以外は実施例３と同様として、ファスナー付き袋体を作製した。
（評価）
各ファスナー付き袋体について、２０〜５０歳代の女性計１０人に、開閉操作を実施してもらい、ファスナーを閉じやすいか否かを回答してもらった。
（結果）
結果を表１、２に合わせて示す。
表に示すように、離間距離Ｄを２〜１７ｍｍ、Ｔ１／Ｔ２を１／３〜２／１とすることで、過半数の被験者がファスナーを閉じやすいと回答し、良好な結果が得られた。
【００２２】
【表１】
2005178866.tif 000003
【００２３】
【表２】
2005178866.tif 000004
【産業上の利用可能性】
【００２４】
本発明のファスナー付き袋体は、食品保存袋等として好適に用いられる。
【図面の簡単な説明】
【００２５】
【図１】図１は、本発明に係る一実施形態のファスナー付き袋体の平面図である。
【図２】図２（ａ）、（ｂ）は、本発明に係る一実施形態のファスナー付き袋体の断面図である。
【符号の説明】
【００２６】
１  ファスナー付き袋体
１０  袋体
１１  開口部
１５  底部
１６、１７  指先ガイド用リブ形成部分
１８、１９  ファスナー／指先ガイド用リブ間部分
２０  雌雄爪型ファスナー
２１  雌爪
２２  雄爪
３１、３２  指先ガイド用リブ
Ｄ  離間距離
Ｔ１  一対の指先ガイド用リブの総厚み
Ｔ２  ファスナーを閉じた際のファスナーの総厚み
【図１】
2005178866.tif 000005
【図２】
2005178866.tif 000006